(57)【要約】【課題】本体ケースの共通化を維持し、電気掃除機の更なる騒音低減を図る。【解決手段】前記排気カバーの形状は、電気掃除機の種類に応じて異なり、前記第２の種類の電気掃除機の前記排気カバーは、前記第１の種類の電気掃除機の前記排気カバーよりも大きく、前記排気カバーは、排気口に横リブを備える。【選択図】図２Ａ
2016086945.tif 000002
【特許請求の範囲】
【請求項１】
電気掃除機本体の外郭を形成する本体ケースが共通する種類の異なる複数の電気掃除機において、
第１の種類の電気掃除機は、第２の種類の電気掃除機に比較して吸込仕事率が高く、前記第２の種類の電気掃除機に比較して前記電気掃除機本体の集塵部から前記電気掃除機本体内に配置された電動送風機の吸込口に至るまでの距離が長く、前記第２の種類の電気掃除機は、前記第１の電気掃除機に比較して排気がきれいで、前記第１の電気掃除機に比較して前記電動送風機からの排気を浄化するフィルタの捕塵率が高く、各種類の電気掃除機は、前記本体ケースに形成された取り付け開口部に取り付けられ、前記電動送風機からの排気が排出される排気カバーを備え、前記排気カバーの形状は、電気掃除機の種類に応じて異なり、前記第２の種類の電気掃除機の前記排気カバーは、前記第１の種類の電気掃除機の前記排気カバーよりも大きく、
前記排気カバーは、排気口に横リブを備えることを特徴とする種類の異なる複数の電気掃除機。
【請求項２】
請求項１に記載の種類の異なる電気掃除機において、
前記電気掃除機の排気カバーは、電気掃除機本体の電動送風機の下流に位置することを特徴とする種類の異なる電気掃除機
【請求項３】
請求項１または２に記載の種類の異なる電気掃除機において、
前記排気口の横リブは凹凸を有することを特徴とする種類の異なる電気掃除機。
【発明の詳細な説明】
【技術分野】
【０００１】
本発明は、電気掃除機に関する。
【背景技術】
【０００２】
本体ケースの共通化を維持し、クリーン排気の電気掃除機の捕集性能の向上と、ハイパワー吸塵力の電気掃除機の吸込性能の向上を図る電気掃除機がある（特許文献１）。
【先行技術文献】
【特許文献】
【０００３】
【特許文献１】特開２０１２−２４３７２号公報
【発明の概要】
【発明が解決しようとする課題】
【０００４】
本発明は、本体ケースの共通化を維持し、騒音低減を図ることを目的とする。
【課題を解決するための手段】
【０００５】
本発明は、電気掃除機本体の外郭を形成する本体ケースが共通する種類の異なる複数の電気掃除機において、第１の種類の電気掃除機は、第２の種類の電気掃除機に比較して吸込仕事率が高く、前記第２の種類の電気掃除機に比較して前記電気掃除機本体の集塵部から前記電気掃除機本体内に配置された電動送風機の吸込口に至るまでの距離が長く、前記第２の種類の電気掃除機は、前記第１の電気掃除機に比較して排気がきれいで、前記第１の電気掃除機に比較して前記電動送風機からの排気を浄化するフィルタの捕塵率が高く、各種類の電気掃除機は、前記本体ケースに形成された取り付け開口部に取り付けられ、前記電動送風機からの排気が排出される排気カバーを備え、前記排気カバーの形状は、電気掃除機の種類に応じて異なり、前記第２の種類の電気掃除機の前記排気カバーは、前記第１の種類の電気掃除機の前記排気カバーよりも大きく、前記排気カバーは、排気口に横リブを備えることを特徴とする。
【発明の効果】
【０００６】
本発明によれば、本体ケースの取り付け開口部に電気掃除機の種類に応じた排気カバーを取り付けることで、本体ケースの共通化を維持し、騒音低減を図ることができる。
【図面の簡単な説明】
【０００７】
【図１】本発明の実施例に係るもので、集塵室外蓋を開いた状態で電気掃除機本体を上から斜視図である。この図はクリーン排気の電気掃除機（Ａタイプ）、およびハイパワー吸塵力の電気掃除機（Ｂタイプ）を共通に示している。
【図２Ａ】本発明の実施例に係るもので、クリーン排気の電気掃除機本体（Ａタイプ）の縦断面図である。
【図２Ｂ】本発明の実施例に係るもので、ハイパワー吸塵力の電気掃除機本体（Ｂタイプ）の縦断面図である。
【図３Ａ】本発明の実施例に係るもので、クリーン排気の電気掃除機本体（Ａタイプ）を後側から見た斜視図である。
【図３Ｂ】本発明の実施例に係るもので、ハイパワー吸塵力の電気掃除機本体（Ｂタイプ）の後側から見た斜視図である。
【図４Ａ】本発明の実施例に係るもので、排気カバーが外されたクリーン排気の電気掃除機本体（Ａタイプ）を後側から見た斜視図である。
【図４Ｂ】本発明の実施例に係るもので、排気カバーが外されたハイパワー吸塵力の電気掃除機本体（Ｂタイプ）の後側から見た斜視図である。
【図５Ａ】本発明の実施例に係るもので、クリーン排気の電気掃除機本体（Ａタイプ）に設ける排気カバーを表側から見た斜視図である。
【図５Ｂ】本発明の実施例に係るもので、ハイパワー吸塵力の電気掃除機本体（Ｂタイプ）に設ける排気カバーを表側から見た斜視図である。
【図６Ａ】本発明の実施例に係るもので、クリーン排気の電気掃除機本体（Ａタイプ）に設けた排気カバーから排出する排気の流れを模式的に示した図である。
【図６Ｂ】本発明の実施例に係るもので、ハイパワー吸塵力の電気掃除機本体（Ｂタイプ）に設けた排気カバーから排出する排気の流れを概略的に示した図である。
【発明を実施するための形態】
【０００８】
本発明の実施形態に係る実施例について、図に沿い以下に説明する。
【０００９】
電気掃除機本体の本体ケース１は、図１に示すように、上本体ケース２、下本体ケース３から構成される。本体ケース１の内部には、前側に集塵室４、後側に電動送風機室が備わる。通気性のある格子状の仕切りで、集塵室４と電動送風機室は仕切られる。
【００１０】
集塵室４には、集塵袋やサイクロン式の集塵部が着脱自在に備えられる。また、集塵袋や集塵部に付着した塵埃を除塵する除塵装置も備えられる。集塵室４の前側には、塵埃を吸い込むためのホースが着脱自在に接続されるホース差し込み口５が設けられる。上本体ケース２には、集塵室４を開け閉めする集塵室外蓋６が設けられ、この集塵室外蓋６を開いて、集塵袋や集塵部の着脱が行われる。
【００１１】
電動送風機室には、電動送風機ユニットが備えられる。この図１はクリーン排気の電気掃除機本体（Ａタイプ）、およびハイパワー吸塵力の電気掃除機本体（Ｂタイプ）を共通に示している。つまり、クリーン排気の電気掃除機本体（Ａタイプ）とハイパワー吸塵力の電気掃除機本体（Ｂタイプ）とでは、上本体ケース２の形状や大きさ、下本体ケース３の形状や大きさ、集塵室４の形状や大きさ、電動送風機室の形状や大きさが共通である。
【００１２】
次に図２〜図６を沿い、クリーン排気の電気掃除機（Ａタイプ）、ハイパワー吸塵力の電気掃除機（Ｂタイプ）に関する本体ケース１の小型化、共通化、捕集性能、吸込性能等について述べる。
【００１３】
ハイパワー吸塵力の電気掃除機（Ｂタイプ）を第１の種類の電気掃除機と云う。クリーン排気の電気掃除機（Ａタイプ）を第２の種類の電気掃除機と云う。第１の種類の電気掃除機は第２の種類の電気掃除機に比べ、吸込仕事率が高い。吸込仕事率が高いので、第１の種類の電気掃除機をハイパワー吸塵力の電気掃除機（Ｂタイプ）とした。また、第２の種類の電気掃除機は第１の種類の電気掃除機に比べ、排気がきれいで、第１の電気掃除機に比べ、電動送風機からの排気を浄化するフィルタの除塵率が高い。
【００１４】
図２Ａ、図３Ａ、図４Ａ、図５Ａ、図６Ａ、は、クリーン排気の掃除機本体（Ａタイプ）を示す。図２Ｂ、図３Ｂ、図４Ｂ、図５Ｂ、図６Ｂ、は、ハイパワー吸塵力の掃除機本体（Ｂタイプ）を示す。
【００１５】
図２Ａに示すように、クリーン排気の電気掃除機本体（Ａタイプ）の外郭を形成する本体ケース１Ａは、上本体ケース２Ａ、下本体ケース３Ａから構成される。本体ケース１Ａの内部には、前側に集塵室４Ａ、後側に電動送風機室７Ａが備わる。集塵室４Ａの前側には、吸い込むホースが着脱自在に接続されるホース差し込み口５Ａが設けられる。上本体ケース２Ａには、集塵室４Ａを開け閉めする集塵室外蓋６Ａが設けられ、この集塵室外蓋６Ａを開いて集塵袋１５Ａの着脱が行われる。
【００１６】
通気性のある格子状の仕切り８Ａで、集塵室４Ａと電動送風機室７Ａは仕切られる。電動送風機室７Ａには、電動送風機ユニット９Ａが備えられる。ＵＬＰＡフィルタ（高集塵フィルタ）１０Ａは電動送風機ユニット９Ａに搭載される。
【００１７】
電動送風機ユニット９Ａの主要部である電動送風機は、電動機１１Ａ、送風部１２Ａを有する。電動機１１Ａ、送風部１２Ａは電動送風機ハウジングカバー１３Ａで包囲される。電動送風機気密防振パッキング１４Ａは、送風部１２Ａの外周に接合する筒部１４Ａ−１と、送風部１２Ａの前面外周側に接合する環状鍔部１４Ａ−２を有する。
【００１８】
電動送風機からの排気は全部がＵＬＰＡフィルタ（高集塵フィルタ）１０Ａで微細な塵埃をもらさず捕集される。捕塵性能の良いクリーン排気の電気掃除機が提供できる。
【００１９】
一体成型の構造で、ＵＬＰＡフィルタ（高集塵フィルタ）１０Ａに通じる排気口しか設けないのは、電動送風機ハウジングカバー１３Ａの密閉性を高め、ＵＬＰＡフィルタ（高集塵フィルタ）１０Ａ以外からの排気漏れをなくすることで捕集性能を高めた。
【００２０】
電子部品を備えた制御基板１６Ａは電動送風機ハウジングカバー１３Ａの後側部１３Ａ−２の背面に備えた。この制御基板１６Ａの排気冷却に関しては後で述べる。
【００２１】
ＵＬＰＡフィルタ（高集塵フィルタ）１０Ａは、図２Ａ、図５Ａ、に示すように、フィルタ部１０Ａ−１、フィルタケース部１０Ａ−２、フィルタカバー部１０Ａ−３を有し、全体が丈の低い箱型をしている。高集塵フィルタの通気性を確保したり、捕集性能を上げるには、大きくしなければならい。このため、図２Ａに示すように、高集塵フィルタ１０Ａは電動送風機ハウジングカバー１３Ａの後側部１３Ａ−２よりも後方に突出している。
【００２２】
図２Ｂに示すように、ハイパワー吸塵力の電気掃除機（Ｂタイプ）について述べる。
【００２３】
ハイパワー吸塵力の電気掃除機本体の外郭を形成する本体ケース１Ｂは、上本体ケース２Ｂ、下本体ケース３Ｂから構成される。この上本体ケース２Ｂ、下本体ケース３Ｂは、前述したクリーン排気の電気掃除機（Ａタイプ）の上本体ケース２Ａ、下本体ケース３Ａと共通である。同一の成型金型で作られた上本体ケースや、下本体ケースがハイパワー吸塵力の電気掃除機（Ｂタイプ）としての上本体ケース２Ｂ、下本体ケース３Ｂや、クリーン排気の電気掃除機（Ａタイプ）としての上本体ケース２Ａ、下本体ケース３Ａとして用いられる。
【００２４】
成型金型の共用化によるコストダウンを図ることができる。また、上本体ケース、下本体ケースの種類低減により部品管理がしやすくなる。
【００２５】
本体ケース１Ｂの内部には、前側に集塵室４Ｂ、後側に電動送風機室７Ｂが備わる。集塵室４Ｂの前側には、吸い込むホースが着脱自在に接続されるホース差し込み口５Ｂが設けられる。上本体ケース２Ｂには、集塵室４Ｂを開け閉めする集塵室外蓋６Ｂが設けられ、この集塵室外蓋６Ｂを開いて集塵袋１５Ｂの着脱が行われる。
【００２６】
通気性のある格子状の仕切り８Ｂで、集塵室４Ｂと電動送風機室７Ｂは仕切られる。電動送風機室７Ｂには、電動送風機ユニット９Ｂが備えられる。このハイパワー吸塵力の電気掃除機（Ｂタイプ）は、高集塵フィルタを備えない。よって、電動送風機からの排気は、排気カバー１７Ｂから排出される。ただし、ＵＬＰＡフィルタ１０Ａよりも小さい、平面状のフィルタを備えていてもよい。
【００２７】
電動送風機ユニット９Ｂの主要部である電動送風機は、電動機１１Ｂ、送風部１２Ｂを有する。電動機１１Ｂ、送風部１２Ｂは、クリーン排気の電気掃除機（Ａタイプ）のものと共通である。
【００２８】
電子部品を備えた制御基板１６Ｂは電動送風機ハウジングカバー１３Ｂの上側に備える。電動送風機ハウジングカバー１３Ｂには、制御基板１６Ｂの裏側になるところにも排気口が設けられているので、電子部品は排気によって冷却される。
【００２９】
高集塵フィルタ１０Ａを覆う排気カバー１７Ａは、本体ケース１Ａの後側に取り付けられ、ねじ止めされる。排気カバー１７Ａは高集塵フィルタ１０Ａの突き出しに合わせて中央が外方向に膨れる膨出部１７Ａ−１を有する。図２Ａに示すように、下本体ケース３Ａの後端から膨出部１７Ａ−１までの長さは、ＬＡ−５である。
【００３０】
一方、高集塵フィルタを搭載しない図２Ｂに示す本体ケース１Ｂの後側に取り付けられ、ねじ止めされる排気カバー１７Ｂは前記排気カバー１７Ａと異なり、膨出部１７がない。このため、下本体ケース３Ｂの後端から排気カバー１７Ｂの後端までの長さはＬＢ−５である。排気カバー１７Ａおよび排気カバー１７Ｂには、流れの偏りを低減し、また騒音を低減するために、平面状のスポンジが備えられている。
【００３１】
また、クリーン排気の電気掃除機とハイパワー吸塵力の電気掃除機は電気掃除機本体の外郭の大部分を占める上本体ケース、下本体ケースが共通で、本体ケースより小さな排気カバーだけが形状の違いで非共通の部品になる。
【００３２】
排気カバー１７Ａは、図５Ａに示すように、横幅がＷＡ−２、丈がＨＡ−２である。図４Ａに示すように、電気掃除機本体の内部を露呈しているところが排気カバーの取り付け開口部１９Ａである。取り付け開口部１９Ａは横幅がＷＡ−１、丈がＨＡ−１である。
【００３３】
排気カバー１７Ｂは、図５Ｂに示すように、横幅がＷＢ−２、丈がＨＢ−２である。図４Ｂに示すように、電気掃除機本体の内部を露呈しているところが排気カバーの取り付け開口部１９Ｂである。取り付け開口部１９Ｂは横幅がＷＢ−１、丈がＨＢ−１である。
【００３４】
ＷＡ−２、ＷＡ−１、ＷＢ−２、ＷＢ−１は、共通の寸法になっている。ＨＡ−２、ＨＡ−１、ＨＢ−２、ＨＢ−１は共通の寸法になっている。このように二種類の排気カバーと、二種類の本体ケースの取り付け開口部は寸法関係が共通になっている。本体ケースがクリーン排気の電気掃除機として組み立てられると、クリーン排気用の排気カバー１７Ａを取り付け開口部１９Ａに取り付ける。本体ケースがハイパワー吸塵力の電気掃除機として組み立てられると、ハイパワー吸塵力用の排気カバー１７Ｂを取り付け開口部１９Ｂに取り付ける。
【００３５】
排気カバー１７Ａは、図５Ａが示すように、膨出部１７Ａ−１のところに分散排気口１７Ａ−２が設けられる。分散排気口１７Ａ−２より上側のところには、排気カバー１７Ａの幅方向に延びる上側集中排気口１７Ａ−３を設ける。分散排気口１７Ａ−２より下側のところには、排気カバー１７Ａの幅方向に延びる下側集中排気口１７Ａ−４を設ける。分散排気口１７Ａ―２と下側集中排気口１７Ａ―４の間には、横方向に中間排気口１７Ａ―５が設けられる。
【００３６】
排気カバー１７Ａの横方向に延びる上側集中排気口１７Ａ―３と、下側集中排気口１７Ａ―４のそれぞれの排気口の中間部に、横方向に延びる横リブ１８Ａと１９Ａを設ける。
【００３７】
排気カバー１７Ａの上側集中排気口１７Ａ―３と、下側集中排気口１７Ａ―４の中間部に設けられた横リブ１８Ａと１９Ａは、凹凸を有する形状となっている。例えば、シェブロン型の凹凸を有する形状となっている。
【００３８】
上側集中排気口１７Ａ−３は排気カバー１７Ａの内側に向かって延在するガイド１７Ａ−３Ａ、１７Ａ−３Ｂがある。また、上側集中排気口１７Ａ−３の下位置側吐出口縁には１７Ａ−３Ａを延長する突出ガイド部１７Ａ−３Ｃを有する。これにより、上側集中排気口１７Ａ−３は吐出（空気）するところが突出ガイド部１７Ａ−３Ｃの突出分で段差になっている。
【００３９】
下側集中排気口１７Ａ−４は排気カバー１７Ａの内側に向かって延在する上位置側ガイド１７Ａ−４Ａ、排気カバー１７Ａの内側から外側に向かって延在する下位置側ガイド１７Ａ−４Ｂを有する。上位置側ガイド１７Ａ−４Ａは下位置側ガイド１７Ａ−４Ｂの外側端よりも外側に延びている。これにより、下側集中排気口１７Ａ−４は吐出（空気）するところが上位置側ガイド１７Ａ−４Ａの外側延び分で段差になっている。
【００４０】
さて、図６Ａに示すように、排気カバー１７Ａの内側で流れる内部排気流１１Ａ−Ｆ１は、分散排気口１７Ａ−２、上側集中排気口１７Ａ−３、下側集中排気口１７Ａ−４から外部排気流１１Ａ−Ｆ２、１１Ａ−Ｆ３、１１Ａ−Ｆ４となって流出する。
【００４１】
外部排気流１１Ａ―Ｆ３と１１Ａ―Ｆ４は、排気カバー１７Ａの上側集中排気口１７Ａ―３と、下側集中排気口１７Ａ―４の、中間部の横方向に延びる横リブ１８Ａと１９Ａがあることによって、さらに分散排気流１１Ａ―Ｆ３―１及び１１Ａ―Ｆ３―２と１１Ａ―Ｆ４―１及び１１Ａ―Ｆ４―２となり、排気流速が弱められて流出する。
【００４２】
また、排気カバー１７Ｂは、図６Ｂが示すように、分散排気口１７Ｂ−２と、分散排気口１７Ｂ−２より上側のところに設ける排気カバー１７Ｂの幅方向に延びる上側集中排気口１７Ｂ−３を有する。
【００４３】
排気カバー１７Ｂの上側集中排気口１７Ｂ―３の中間部には、横方向に延びる横リブ１８Ｂを設ける。
【００４４】
排気カバー１７Ｂの上側集中排気口１７Ｂ―３の中間部に設けられた横リブ１８Ｂは、凹凸を有する形状となっている。例えば、シェブロン型の凹凸を有する形状となっている。
【００４５】
上側集中排気口１７Ｂ−３は排気カバー１７Ｂの内側および外側に向かって延在するガイド１７Ｂ−３Ａ、１７Ｂ−３Ｂがある。
【００４６】
さて、図６Ｂに示すように、排気カバー１７Ｂの内側で流れる内部排気流１１Ｂ−Ｆ１は、分散排気口１７Ｂ−２、上側集中排気口１７Ｂ−３から外部排気流１１Ｂ−Ｆ２、１１Ｂ−Ｆ３となって流出する。
【００４７】
外部排気流１１Ｂ―Ｆ３は、排気カバー１７Ｂの上側集中排気口１７Ｂ―３の、中間部に横方向に延びる横リブ１８Ｂがあることによって、さらに分散排気流１１Ｂ―Ｆ３―１及び１１Ｂ―Ｆ３―２となり、排気流速が弱められて流出する。
【００４８】
排気流速が弱められて流出することで、騒音の低減の効果を奏する。
【００４９】
排気口へ取り付けた凹凸を有する横リブにより、高周波域の騒音低減を図ることができるという効果を奏する。
【符号の説明】
【００５０】
１Ａ…本体ケース
１Ｂ…本体ケース
１０Ａ…高集塵フィルタ
１５Ａ…集塵袋（集塵部）
１５Ｂ…集塵袋（集塵部）
１９Ａ…取り付け開口部
１９Ｂ…取り付け開口部
９Ａ…電動送風機ユニット
９Ｂ…電動送風機ユニット
１７Ａ…排気カバー
１７Ｂ…排気カバー
【図１】
2016086945.tif 000003
【図２Ａ】
2016086945.tif 000004
【図２Ｂ】
2016086945.tif 000005
【図３Ａ】
2016086945.tif 000006
【図３Ｂ】
2016086945.tif 000007
【図４Ａ】
2016086945.tif 000008
【図４Ｂ】
2016086945.tif 000009
【図５Ａ】
2016086945.tif 000010
【図５Ｂ】
2016086945.tif 000011
【図６Ａ】
2016086945.tif 000012
【図６Ｂ】
2016086945.tif 000013